(57)【要約】【課題】ＩＰ電話回線を介して３桁の特別番号で発信するときに、第２ダイヤルトーンの検出の有無にかかわらず、正常な通信を実行することができる。【解決手段】ファクシミリ装置２０の主制御部１は、ＩＰ電話回線を介して発信するときに（図２のステップＳ２でＹＥＳ及びステップＳ３）発呼番号に３桁の特別番号を含むとき（ステップＳ６でＹＥＳ）、特別番号をダイヤルした後（ステップＳ８）、第２ダイヤルトーンを検出しないとき（ステップＳ９でＮＯ）、所定の待機時間だけ待機した後（ステップＳ１０）、上記発呼番号から上記特別番号を除いた残りの番号をダイヤルする（ステップＳ１１）ように制御することを特徴としている。ここで、上記待機時間は上記特別番号のダイヤル終了後の待機時間であって、好ましくは１秒以上でかつ４秒未満に設定される。【選択図】図２
2005130038.tif 000002
【特許請求の範囲】
【請求項１】
ＩＰ電話回線を介して発信するときに発呼番号に３桁の特別番号を含むとき、特別番号をダイヤルした後、第２ダイヤルトーンを検出しないとき、所定の待機時間だけ待機した後、上記発呼番号から上記特別番号を除いた残りの番号をダイヤルするように制御する制御手段を備えたことを特徴とする通信端末装置。
【請求項２】
上記待機時間は上記特別番号のダイヤル終了後の待機時間であって、１秒以上でかつ４秒未満に設定されたことを特徴とする請求項１記載の通信端末装置。
【発明の詳細な説明】
【技術分野】
【０００１】
本発明は、発呼番号に３桁の特別番号を含むときのダイヤル番号特別処理機能を有する、例えばファクシミリ装置などの通信端末装置に関する。
【背景技術】
【０００２】
現在のＩＰ電話アダプタを用いてＩＰ電話回線から発信したとき、例えば１１０，１１９などの１ｘｘの３桁の特別番号（特番）には発呼することができず、かならずＮＴＴなどの一般の公衆電話回線に切り換えた後、特別番号を含む発呼番号をダイヤルして回線接続している。
【０００３】
【特許文献１】特開２００１−１７７５７７号公報。
【発明の開示】
【発明が解決しようとする課題】
【０００４】
一方、ナンバーディスプレイサービスにおいて自局番号の非通知を指示する特別番号である「１８４」又は自局番号の通知を指示する特別番号である「１８６」などの３桁の特別番号をダイヤルした後、その後に電話網側から送出される第２ダイヤルトーンの検出を指示している場合がある。しかしながら、このＩＰ電話網から固定の一般公衆電話網に切り換えられた場合においては、第２ダイヤルトーンが送出されない場合があるという事実がある。この場合において、第２ダイヤルトーンを検出しない限り、残りの発呼番号をダイヤルせず、所望の相手方の通信端末装置に回線接続することができないという問題点があった。
【０００５】
例えば、特許文献１において「ＩＰ電話機からも一般電話機からも、相手先が一般電話機かＩＰ電話機かを意識せずに、同一の番号／入力方法を用いて発呼することができるインターネット電話システム」が開示されているが、３桁の特別番号のダイヤル後の第２ダイヤルトーンの検出については、特別な処理はされず、上記の問題点を解決することができない。
【０００６】
本発明の目的は以上の問題点を解決し、ＩＰ電話回線を介して３桁の特別番号で発信するときに、第２ダイヤルトーンの検出の有無にかかわらず、正常な通信を実行することができる、例えばファクシミリ装置などの通信端末装置を提供することにある。
【課題を解決するための手段】
【０００７】
本発明に係る通信端末装置は、ＩＰ電話回線を介して発信するときに発呼番号に３桁の特別番号を含むとき、特別番号をダイヤルした後、第２ダイヤルトーンを検出しないとき、所定の待機時間だけ待機した後、上記発呼番号から上記特別番号を除いた残りの番号をダイヤルするように制御する制御手段を備えたことを特徴とする。
【０００８】
上記通信端末装置において、上記待機時間は上記特別番号のダイヤル終了後の待機時間であって、１秒以上でかつ４秒未満に設定されたことを特徴とする。
【発明の効果】
【０００９】
本発明に係る通信端末装置によれば、ＩＰ電話回線を介して発信するときに発呼番号に３桁の特別番号を含むとき、特別番号をダイヤルした後、第２ダイヤルトーンを検出しないとき、所定の待機時間だけ待機した後、上記発呼番号から上記特別番号を除いた残りの番号をダイヤルするように制御する。従って、ＩＰ電話回線を介して３桁の特別番号で発信するときに、第２ダイヤルトーンの有無にかかわらず、正常な通信を実行することができる。
【発明を実施するための最良の形態】
【００１０】
以下、図面を参照して本発明に係る実施形態について説明する。
【００１１】
＜実施形態＞
図１は、本発明に係る実施形態である、発呼番号に３桁の特別番号を含むときのダイヤル番号特別処理機能を有するファクシミリ装置２０の構成を示すブロック図である。
【００１２】
この実施形態に係るファクシミリ装置２０の主制御部１は、ＩＰ電話回線を介して発信するときに（図２のステップＳ２でＹＥＳ及びステップＳ３）発呼番号に３桁の特別番号を含むとき（ステップＳ６でＹＥＳ）、特別番号をダイヤルした後（ステップＳ８）、第２ダイヤルトーンを検出しないとき（ステップＳ９でＮＯ）、所定の待機時間だけ待機した後（ステップＳ１０）、上記発呼番号から上記特別番号を除いた残りの番号をダイヤルする（ステップＳ１１）ように制御することを特徴としている。ここで、上記待機時間は上記特別番号のダイヤル終了後の待機時間であって、好ましくは１秒以上でかつ４秒未満に設定される。
【００１３】
ここで、第２ダイヤルトーンとは、所定の３桁の特別番号をダイヤルしたときに電話網側から送出されて聞こえる「ツーツーツーツー」と短い周期で繰り返す信号音であり、例えば４００Ｈｚの周波数を有し、１２５ミリ秒オンで１２５ミリ秒オフで実現される信号である。
【００１４】
図１において、ファクシミリ装置２０は、従来のＧ３方式等のファクシミリ通信機能を備えるとともに、発呼番号に３桁の特別番号を含むときのダイヤル番号特別処理機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１５】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも図２の発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７は３桁の特別番号のリストを含む３桁特別番号テーブル７ａを予め格納している。また、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１７】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、発呼番号に３桁の特別番号を含むときのダイヤル番号特別処理機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
図２は図１のファクシミリ装置２０の主制御部１によって実行される、実施形態に係る発信処理を示すフローチャートである。
【００２０】
図２のステップＳ１において発呼要求があるか否かが判断され、ＹＥＳのときはステップＳ２に進む一方、ＮＯのときはステップＳ１に戻る。ステップＳ２では、回線種別はＩＰ電話回線であるか否かが判断され、ＹＥＳのときはステップＳ５に進む一方、ＮＯのときはステップＳ３に進む。ステップＳ３において一般電話回線を選択し、ステップＳ４において発呼番号のダイヤル処理を実行した後、ステップＳ１２に進む。一方、ステップＳ５においてＩＰ電話回線を選択し、ステップＳ６において、３桁特別番号テーブル７ａを参照して、発呼番号に３桁の特別番号を含むか否かが判断され、ＹＥＳのときはステップＳ８に進む一方、ＮＯのときはステップＳ７に進む。ステップＳ７では、発呼番号のダイヤル処理を実行した後、ステップＳ１２に進む。一方、ステップＳ８において特別番号までをダイヤルし、ステップＳ９において第２ダイヤルトーンを検出したか否かが判断され、ＹＥＳのときはそのままステップＳ１１に進む一方、ＮＯのときはステップＳ１０に進む。ステップＳ１０では、所定の待機時間（好ましくは、１秒以上４秒未満である。）だけ待機し、ステップＳ１１に進む。ステップＳ１１において、発呼番号のうち上記特別番号を除く残りの登録番号をダイヤルした後、ステップＳ１２に進む。さらに、ステップＳ１２においてファクシミリ送信処理を実行し、ステップＳ１３において回線開放し、当該発信処理を終了する。
【００２１】
以上説明したように、本実施形態によれば、ファクシミリ装置２０の主制御部１は、ＩＰ電話回線を介して発信するときに（図２のステップＳ２でＹＥＳ及びステップＳ３）発呼番号に３桁の特別番号を含むとき（ステップＳ６でＹＥＳ）、特別番号をダイヤルした後（ステップＳ８）、第２ダイヤルトーンを検出しないとき（ステップＳ９でＮＯ）、所定の待機時間だけ待機した後（ステップＳ１０）、上記発呼番号から上記特別番号を除いた残りの番号をダイヤルする（ステップＳ１１）ように制御し、ここで、上記待機時間は上記特別番号のダイヤル終了後の待機時間であって、好ましくは１秒以上でかつ４秒未満に設定される。従って、ＩＰ電話回線を介して３桁の特別番号で発信するときに、第２ダイヤルトーンの検出の有無にかかわらず、正常な通信を実行することができる。
【００２２】
＜変形例＞
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【図面の簡単な説明】
【００２３】
【図１】本発明に係る実施形態である、発呼番号に３桁の特別番号を含むときのダイヤル番号特別処理機能を有するファクシミリ装置２０の構成を示すブロック図である。
【図２】図１のファクシミリ装置２０の主制御部１によって実行される発信処理を示すフローチャートである。
【符号の説明】
【００２４】
１…主制御部、
２…画像読取部、
３…画像記録部、
４…表示部、
５…操作部、
６…ＲＯＭ、
７…ＲＡＭ、
７ａ…３桁特別番号テーブル、
８…画像メモリ、
１０…ファックスモデム、
１１…ＮＣＵ、
１３…バス、
２０…ファクシミリ装置、
Ｌ…公衆電話回線。
【図１】
2005130038.tif 000003
【図２】
2005130038.tif 000004